(57)【特許請求の範囲】
【請求項１】
ランプカバーとレンズからなり、ルーフライニングの所要箇所に装着してなる自動車のルームランプ装置であって、ランプカバー（１）は、下部が開口した箱状であって、開口部周面にフランジ部（１ａ）を形成し、一方、ルーフライニング（Ｘ）には、該ランプカバー（１）の開口部より大きく、フランジ部（１ａ）の周縁部よりは小さな穴（Ｙ）を形成し、かつ、該フランジ部（１ａ）の長手方向の相対向する箇所に、それぞれ水平方向に、浅い差し込みフック溝（３ａ）と深い差し込みフック溝（３ｂ）とをそれぞれ有し、前記ルーフライニング（Ｘ）に設けた穴（Ｙ）周囲に挟む差し込みフック部（３）（３）をそれぞれ設け、これらのうち、深い差し込みフック溝（３ｂ）を有する差し込みフック部に、差し込み穴（３ｃ）を穿設け、ランプカバー（１）に係合するレンズ（２）側には、ずれ防止ピン（２ａ）をレンズ（２）と一体に設け、レンズを前記ランプカバーに装着した際に、ずれ防止ピン（２ａ）をランプカバー（１）の差し込みフック部（３）の差し込み穴（３ｃ）に差し込み、該差し込まれたずれ防止ピン（２ａ）によりランプカバー（１）の穴（Ｙ）内の移動を阻止することを特徴とする自動車のルームランプ装置。
【発明の詳細な説明】
【０００１】
【発明の属する技術分野】
この発明は、自動車のルームランプ装置に関する。
【０００２】
【従来の技術】
従来、自動車におけるルームランプ装置の取り付けは、図３、図４に示すように、自動車の天井内装材であるルーフライニングの所要箇所に、ルームランプ装置のうち、ランプカバーの挿入可能な穴を形成し、該穴にルームランプ装置のランプカバーを差し込み、直接天井補強部材に取り付けるタイプがある。
【０００３】
しかし、このタイプは、車体のバラツキ等により片当たりして反対側にスキが発生し、それを補正するため別個にパットなどのスペーサーを入れる必要があり、その作業が煩雑となり、また、別個に部品を設ける必要があるため、コストアップとなっていた。
【０００４】
つぎに、図５に示すように、自動車の天井内装材であるルーフライニングの所要箇所に、ルームランプ装置のうち、ランプカバーの挿入可能な穴を形成し、該穴にルームランプ装置のランプカバーを差し込む際、一方にフック、他方にリブを設けたランプカバーを差し込み、穴の片側にフックを係止し、他方のリブでルーフランニングに仮止めし、組み付けの際、天井補強部材に取り付けるタイプがある。
【０００５】
これも、ルーフライニングの穴と、リブの係合い寸法関係、縁部が強度不足等となる。
【０００６】
さらに、自動車の天井内装材であるルーフライニングの所要箇所に、ルームランプ装置のうち、ランプカバーの挿入可能な穴を形成し、該穴にルームランプ装置のランプカバーを差し込み固定し、該ランプカバーにレンズを装着するものであり、ルーフランニングに直接取付けるものであり（図６参照）、天井補強材には取付けないタイプがあった。
【０００７】
しかし、このルーフライニングに、直接ルームランプ装置を取り付けるタイプは、穴の縁部の強度不足のため補強鉄板等を設ける必要があり、コストアップとなっており、また、ルーフライニングに仮り止めされるタイプと同様に、ルームランプ装置は、穴の縁部が強度不足のため、係合状態が不備とな。
【０００８】
【発明が解決しようとする課題】
そこでこの発明は、上記の問題点をことごとく解消し、簡単な構造により品質の向上によりバラツキに影響がなく、ルーフランニングにルームランプ装置を取り付けることができ、また、その組付け手段も容易であり、ルーフライニングの片側で作業が行えることにより、作業効率の向上が図れ、サービスも容易であり、また、補強部材が不要のためコストダウンも容易に図れ、さらにルーフライニングに直接、ルームランプ装置を取り付けることにより車体のバラツキ等によるスキ発生が防止できる自動車のルームランプ装置を開発することにある。
【０００９】
【課題を解決するための手段】
その課題を解決する手段として、この発明は、ランプカバーとレンズからなり、ルーフライニングの所要箇所に装着してなる自動車のルームランプ装置であって、ランプカバー（１）は、下部が開口した箱状であって、開口部周面にフランジ部（１ａ）を形成し、一方、ルーフライニング（Ｘ）には、該ランプカバー（１）の開口部より大きく、フランジ部（１ａ）の周縁部よりは小さな穴（Ｙ）を形成し、かつ、該フランジ部（１ａ）の長手方向の相対向する箇所に、それぞれ水平方向に、浅い差し込みフック溝（３ａ）と深い差し込みフック溝（３ｂ）とをそれぞれ有し、前記ルーフライニング（Ｘ）に設けた穴（Ｙ）周囲に挟む差し込みフック部（３）（３）をそれぞれ設け、これらのうち、深い差し込みフック溝（３ｂ）を有する差し込みフック部に、差し込み穴（３ｃ）を穿設け、ランプカバー（１）に係合するレンズ（２）側には、ずれ防止ピン（２ａ）をレンズ（２）と一体に設け、レンズを前記ランプカバーに装着した際に、ずれ防止ピン（２ａ）をランプカバー（１）の差し込みフック部（３）の差し込み穴（３ｃ）に差し込み、該差し込まれたずれ防止ピン（２ａ）によりランプカバー（１）の穴（Ｙ）内の移動を阻止することを特徴とする自動車のルームランプ装置である。
【００１０】
【発明の実施の形態】
そこでこの発明の一実施例を図１に基づいて説明すると、ランプカバーとレンズからなり、ルーフライニングの所要箇所に装着してなる自動車のルームランプ装置であって、ランプカバー（１）は、下部が開口した箱状であって、開口部周面にフランジ部（１ａ）を形成し、一方、ルーフライニング（Ｘ）には、該ランプカバー（１）の開口部より大きく、フランジ部（１ａ）の周縁部よりは小さな穴（Ｙ）を形成し、かつ、該フランジ部（１ａ）の長手方向の相対向する箇所に、それぞれ水平方向に、浅い差し込みフック溝（３ａ）と深い差し込みフック溝（３ｂ）とをそれぞれ有し、前記ルーフライニング（Ｘ）に設けた穴（Ｙ）周囲に挟む差し込みフック部（３）（３）をそれぞれ設け、これらのうち、深い差し込みフック溝（３ｂ）を有する差し込みフック部に、差し込み穴（３ｃ）を穿設け、ランプカバー（１）に係合するレンズ（２）側には、ずれ防止ピン（２ａ）をレンズ（２）と一体に設け、レンズを前記ランプカバーに装着した際に、ずれ防止ピン（２ａ）をランプカバー（１）の差し込みフック部（３）の差し込み穴（３ｃ）に差し込み、該差し込まれたずれ防止ピン（２ａ）によりランプカバー（１）の穴（Ｙ）内の移動を阻止することを特徴とする自動車のルームランプ装置からなるものである。
【００１１】
また、ランプカバー（１）にレンズ（２）を装着する手段は、レンズ（２）側に設けられた複数個の係止フック（４）を、ランプカバー（１）のフランジ部（１ａ）側に設けた係止穴（５）に嵌着したり、縁部と係合して行うものである。  さらに、ランプカバー（１）内には、ランプに必要な電気配線等が配備されており配線等はルーフライニング（Ｘ）の裏側に設けられるものである。
【００１２】
次に、この発明の使用方法を説明すると、先ず、ルーフライニング（Ｘ）の穴（Ｙ）に、ランプカバー（１）の深い差し込みフック溝（３ｂ）を縁部より挿入し、ランプカバー（１）を充分差し込み、該ランプカバーがルーフライニング（Ｘ）と水平になった際に、浅い差し込みフック溝（３ａ）を水平方向に移動させて縁部に係合し、ランプカバーの係止穴（５）に、レンズを挿入して係止フック（４）を係止する際に、ランプカバー側形成した深い差し込みフック溝（３ｂ）の穴に、ずれ防止ピン（２ａ）を差し込み穴（３ｃ）に差し込み、ランプカバー及びレンズカバーが、ルーフライニングの穴内を移動しないように、ずれ防止をするものである。
【００１３】
【発明の効果】
この発明によると、ランプカバーとレンズからなり、ルーフライニングの所要箇所に装着してなる自動車のルームランプ装置であって、ランプカバー（１）は、下部が開口した箱状であって、開口部周面にフランジ部（１ａ）を形成し、一方、ルーフライニング（Ｘ）には、該ランプカバー（１）の開口部より大きく、フランジ部（１ａ）の周縁部よりは小さな穴（Ｙ）を形成し、かつ、該フランジ部（１ａ）の長手方向の相対向する箇所に、それぞれ水平方向に、浅い差し込みフック溝（３ａ）と深い差し込みフック溝（３ｂ）とをそれぞれ有し、前記ルーフライニング（Ｘ）に設けた穴（Ｙ）周囲に挟む差し込みフック部（３）（３）をそれぞれ設け、これらのうち、深い差し込みフック溝（３ｂ）を有する差し込みフック部に、差し込み穴（３ｃ）を穿設け、ランプカバー（１）に係合するレンズ（２）側には、ずれ防止ピン（２ａ）をレンズ（２）と一体に設け、レンズを前記ランプカバーに装着した際に、ずれ防止ピン（２ａ）をランプカバー（１）の差し込みフック部（３）の差し込み穴（３ｃ）に差し込み、該差し込まれたずれ防止ピン（２ａ）によりランプカバー（１）の穴（Ｙ）内の移動を阻止することができ、ルーフライニングとランプカバーとを確実に固定できる等極めて有益なる効果を奏する。
【図面の簡単な説明】
【図１】この発明の一実施例を示す斜視図である。
【図２】この発明の使用状態を示す説明図であり、（ａ）は取付け時、（ｂ）は取付け完了後の状態を示す断面図である。
【図３】この発明に使用するルーフライニングの一実施例を示す斜視図である。
【図４】従来例の一部欠截断面図である。
【図５】従来例の一部欠截断面図である。
【図６】従来例の一部欠截断面図である。
【符号の説明】
１  ランプカバー
１ａ  フランジ部
２  レンズ
２ａ  ずれ防止ピン
３  差し込みフック部
３ａ  浅い差し込みフック溝
３ｂ  深い差し込みフック溝
３ｃ  差し込み穴
４  係止フック
５  係止穴
Ｘ  ルーフライニング
Ｙ  穴
【図１】
0003595956.tif 000002
【図２】
0003595956.tif 000003
【図３】
0003595956.tif 000004
【図４】
0003595956.tif 000005
【図５】
0003595956.tif 000006
【図６】
0003595956.tif 000007